(57)【要約】      （修正有）【課題】玄関における靴箱下方の空きスペースを履物の収納スペースとして有効利用するとともに、収納・取り出しの際の作業性が容易となる履物の収納器具を提供する。【解決手段】履物を収納するための移動式履物収納トレー１であって、網状のトレー本体２とキャスター３とからなり、トレー本体２の下面所定箇所に複数のキャスター３が取り付けられた構成を採用している。また、トレー本体２の両側端部２ａ・２ｂが、上方に反られている構造を採用し得る。【選択図】図１
0003142421.tif 000002
【実用新案登録請求の範囲】
【請求項１】
履物を収納するためのトレーであって、網状のトレー本体とキャスターとからなり、トレー本体の下面所定箇所に複数のキャスターが取り付けられていることを特徴とする移動式履物収納トレー。
【請求項２】
前記移動式履物収納トレーにおいて、トレー本体の両側端部が上方に反られていることを特徴とする請求項１に記載の移動式履物収納トレー。
【考案の詳細な説明】
【技術分野】
【０００１】
本考案は、履物の収納器具に関し、詳しくは、靴箱下方の空きスペースに履物を収納する際の収納器具に関するものである。
【背景技術】
【０００２】
従来から、履物は、家の玄関にある靴箱に収納され、外出の際に必要に応じて靴箱から取り出される。なお、日本の家は、古来より靴を脱いで室内に入る風習があるため、室内に入る際、靴を脱いで置いておくスペースと室内とを明確に区別するため、家の玄関には通常段差が設けられている。このような玄関に、靴箱を設置する場合、かかる段差の上段床面に合わせて靴箱の底面が設置されることが多く、すなわち、段差分だけ靴箱の下方に無駄な空きスペースが存在することとなる。
【０００３】
履物は、必ずしも靴箱に収納されるとは限らず、普段から頻繁に履く履物については、玄関に脱いだまま放置されていることがよくある。そんな折、急な来客等があった場合に、咄嗟に脱がれた玄関の履物をきれいに整列させたり、靴箱に収納したりして、整理整頓の行き届いた玄関を演出するものである。これは、玄関がその家庭の顔といわれることが要因の一つであり、すなわち、玄関の見た目の来客に与える印象が強いためである。
【０００４】
このとき、少量の履物であれば、整列させるだけで玄関を小奇麗にすることも可能であり、また、脱がれた靴を全て靴箱に収納できれば何の問題もない。しかしながら、玄関に大量の履物がある場合に、整列させるだけでは見栄えがよいとは言えず、また、靴箱に収納しきれない靴については、別の場所に収納されることとなるが、そこで別の場所として使用されるのが、上述した靴箱下方の空きスペースである。
【０００５】
この空きスペースを履物の収納場所として有効利用すること自体は何の問題もないが、該空きスペースに単に履物を押し込んでいるだけでは、玄関の掃除に際して該空きスペースに押し込まれた履物を除ける作業が非常に煩雑である。また、該空きスペース内において多数の履物が収納されることによって、履物に履物が重ねられて押し込まれていることもあり、結果一足の履物が片方づつバラバラにされていることもある。したがって、必要とする履物を探す手間も加わって、履物を取り出す際には非常に手間が掛かってしまう。
【考案の開示】
【考案が解決しようとする課題】
【０００６】
上記問題点に鑑み、本考案は、玄関における靴箱下方の空きスペースを履物の収納スペースとして有効利用するとともに、収納・取り出しの際の作業性が容易となる履物の収納器具を提供することを目的とするものである。
【課題を解決するための手段】
【０００７】
前記目的を達成するため、本考案は、履物を収納するためのトレーであって、網状のトレー本体とキャスターとからなり、トレー本体の下面所定箇所に複数のキャスターが取り付けられている構成となっている。
【０００８】
また、本考案は、前記トレー本体の両側端部が、上方に反られている構成を採用することもできる。
【考案の効果】
【０００９】
本考案にかかる移動式履物収納トレーによれば、キャスターが取り付けられているにより自由に移動することが可能であり、トレー本体上に履物を載せて玄関の靴箱下方の空きスペースへ移動させることで、履物を該空きスペースへ容易に収納することができるとともに、取り出す際も同様に容易に取り出すことが可能であって、靴箱下方の空きスペースの有効利用及び玄関の整理整頓に資するものである。
【００１０】
また、本考案にかかる移動式履物収納トレーによれば、トレー本体が網状構造となっているため、履物底面に付着した泥や塵などをトレー本体下方へ落とすことが可能であり、玄関掃除の際に、本移動式履物収納トレーを移動させるだけ靴箱下方の空きスペースの掃除も容易に行うことができる。
【００１１】
さらに、本考案にかかる移動式履物収納トレーによれば、上記同様、トレー本体が網状構造となっているため、かかる網状となっている箇所に指などを引っ掛けて手前に引くことで、靴箱下方の空きスペースから必要場所まで容易に本移動式履物収納トレーを引き出し、移動することが可能である。
【００１２】
またさらに、本考案にかかる移動式履物収納トレーによれば、トレー本体の両側端部が上方に反られている構成を採用することにより、本移動式履物収納トレーの移動などに際して、載せられた履物の該トレー本体からの落下を防止することができ、常に安定して履物を載せておくことが可能となる。
【考案を実施するための最良の形態】
【００１３】
以下、本考案にかかる移動式履物収納トレー１の実施形態を、図面に基づいて説明する。
【００１４】
図１は、本考案にかかる移動式履物収納トレー１を示す全体斜視図である。該移動式履物収納トレー１は、トレー本体２とキャスター３とから構成されている。
【００１５】
本考案にかかるトレー本体２は、図面に示すとおり、略長方形の網状となっている。該トレー本体２の材質について、特に限定するものではないが、網状構造を採用可能であって、軽量性や強度の面から適当な材質が適宜決定される。例えば、鉄等の金属製針金を網状に構成したもの、さらにその金属表面が樹脂コーティングされたもの、プラスチック等の合成樹脂を網状に成形したものなどが考え得る。
【００１６】
このように、トレー本体２を網状に構成することにより、トレー本体２上に載せた履物Ｘの底面に付着した泥や塵などをトレー本体２下方へ落とすことが可能であって、玄関掃除が容易になるとともに、かかる網状となっている箇所に指などを引っ掛けて手前に引くことで、靴箱Ｂ下方の空きスペースＳから必要場所まで容易に本移動式履物収納トレー１を引き出し、移動することが可能となる。
【００１７】
なお、トレー本体２の幅や長さは、各家庭の靴箱Ｂ下方の空きスペースＳの大きさに合わせて自由に設計変更可能であり、特に限定するものではない。
【００１８】
また、図面では、トレー本体２の対向する両側端部２ａ・２ｂが、上方に反られている構成を採用した場合について図示されている。かかる構成を採用することにより、両側端部２ａ・２ｂ付近に載せられた履物Ｘがトレー本体２の内側へ寄せられることとなり、本移動式履物収納トレー１の移動などに際して、かかる載せられた履物Ｘの該トレー本体２からの落下を防止することができ、常に安定して履物Ｘを載せておくことが可能となる。
【００１９】
上記本考案にかかるトレー本体２の下面所定箇所には、キャスター３が複数取り付けられている。該キャスター３の構造については、特に限定するものではなく、通常広く使われているものを適宜採用可能である。また、該キャスター３のトレー本体２下面への取り付け手段についても、特に限定するものではない。
【００２０】
なお、図面では、トレー本体２の下面所定箇所にキャスター３が４つ取り付けられた構成について図示しているが、かかるキャスター３の個数については、トレー本体２の大きさや積載量などを考慮して、自由に決定することができる
【００２１】
図２は、本考案にかかる移動式履物収納トレー１の使用状態を示す斜視図である。
すなわち、トレー本体２上に履物Ｘを載せ、その状態でキャスター３の作用により自在に移動可能となる。なお、移動に際しては、トレー本体２の側方を押したり、トレー本体２の網状となっている箇所に指などを引っ掛けて手前に引いたりして、移動式履物収納トレー１の移動を行う。
【００２２】
図３及び図４は、本考案にかかる移動式履物収納トレー１の使用状態を示しており、図３は側面図、図４は斜視図である。
すなわち、図３並びに図４に示すように、トレー本体２上に履物Ｘを載せた移動式履物収納トレー１は、靴箱Ｂ下方の空きスペースＳ内に移動して収めることで、該空きスペースＳが履物Ｘの収納スペースとして機能する。そして、トレー本体２に取り付けられたキャスター３の作用により、必要に応じて移動式履物収納トレー１を、該空きスペースＳから引き出したり、あるいは空きスペースＳ内へ押し込めたり、自在に移動させることが可能となる。
【００２３】
なお、上述した実施形態においては、本考案にかかる移動式履物収納トレー１を靴箱Ｂ下方の空きスペースＳ内に収納する態様について説明したが、かかる空きスペースＳに必ずしも収納しなければならないものではなく、例えば玄関内や玄関先、その他ベランダ・テラス等に置いておくだけの態様でも構わない。
【００２４】
また、同実施形態においては、トレー本体２の形状を略長方形とした場合について説明したが、かかる形状に限らず、例えば楕円形状や略円形状、その他種々形状とすることも可能である。
【産業上の利用可能性】
【００２５】
本考案によれば、靴箱Ｂ下方の空きスペースＳに本移動式履物収納トレー１を収納することで、該空きスペースＳを履物Ｘの収納スペースとして有効利用することができるだけでなく、かかる空きスペースＳに収納しなくとも、本移動式履物収納トレー１を玄関等に置いておくだけで、履物Ｘの整理整頓に役立つものであり、また、それによって脱がれた履物Ｘがそのまま放置されるのでなく、全体としての外観も綺麗な印象を観者に与えることとなる。そしてまた、トレー本体２上には、履物Ｘを載せる態様だけでなく、植木鉢やプランターなど、様々な物を載せておく態様も考えられ、それにより本考案の用途が無限に拡がるため、本考案にかかる本移動式履物収納トレー１の産業上の利用可能性は極めて高いものといえる。
【図面の簡単な説明】
【００２６】
【図１】本考案にかかる移動式履物収納トレーを示す全体斜視図である。
【図２】本考案にかかる移動式履物収納トレーの使用状態を示す斜視図である。
【図３】本考案にかかる移動式履物収納トレーの使用状態を示す側面図である。
【図４】本考案にかかる移動式履物収納トレーの使用状態を示す斜視図である。
【符号の説明】
【００２７】
１    移動式履物収納トレー
２    トレー本体
３    キャスター
Ｂ    靴箱
Ｓ    空きスペース
Ｘ    靴
【図１】
0003142421.tif 000003
【図２】
0003142421.tif 000004
【図３】
0003142421.tif 000005
【図４】
0003142421.tif 000006